(57)【要約】高データレートの通信システムにおいて、アクセス端末により送信された信号のパワーを選択的に減少させる（３０８）方法および装置である。アクセス端末はスループットまたはデータレート制御（ＤＲＣ）情報に基づいてアクセス計量を生成する（３０４）。その後、アクセス端末はこのアクセス計量をアクセス計量しきい値と比較し（３０６）、この比較結果に基づいてその送信パワーをゲートするか、あるいは減少させる（３０８）。アクセス計量しきい値は、アクセスネットワーク選択アルゴリズムにしたがってアクセスネットワークからデータを受信するためにそのアクセス端末は選択されない期間中送信パワーを減少させる。【選択図】３
2004514371.tif 000002
【特許請求の範囲】
【請求項１】
アクセスネットワークから受信した信号の１以上のパラメータをアクセス端末で測定し、
前記測定に基づいてアクセス計量値を決定し、
前記測定に基づいてデータリクエスト情報を生成し、
アクセス計量値をアクセス計量しきい値と比較し、
アクセスネットワークにデータリクエスト情報を通信した結果、そのアクセスネットワークによりアクセス端末は選択されないことを前記比較に基づいて評価し、
アクセス端末からアクセスネットワークに送信される逆方向リンク信号のパワーを前記評価に基づいて減少させるステップを含んでいるアクセスネットワークからアクセス端末に送信されたデータを受信する方法。
【請求項２】
アクセス計量しきい値を前記アクセス計量の値に基づいて更新するステップをさらに含んでいる請求項１記載の方法。
【請求項３】
前記測定するステップは、順方向リンクデータスループット値をローパスフィルタ処理するステップをさらに含んでいる請求項１記載の方法。
【請求項４】
前記ローパスフィルタ処理するステップは、有限インパルス応答フィルタを使用して行われる請求項３記載の方法。
【請求項５】
前記ローパスフィルタ処理するステップは、無限インパルス応答フィルタを使用して行われる請求項３記載の方法。
【請求項６】
前記順方向リンクデータスループット値は、アクセス端末によりリクエストされたデータレートに基づいている請求項３記載の方法。
【請求項７】
前記順方向リンクデータスループット値は、アクセスネットワークにより承認されたデータレートに基づいている請求項３記載の方法。
【請求項８】
アクセス計量しきい値を前記順方向リンクデータスループット値に基づいて更新するステップをさらに含んでいる請求項３記載の方法。
【請求項９】
アクセス計量パラメータをアクセスネットワークから受信し、
そのアクセス計量パラメータに基づいてアクセス計量しきい値を更新するステップをさらに含んでいる請求項１記載の方法。
【請求項１０】
アクセス計量パラメータは、順方向リンクデータをモデムプールトランシーバから受信するアクセス端末の数である請求項９記載の方法。
【請求項１１】
アクセス計量パラメータは、以前の順方向リンクデータ送信に関連したアクセスネットワーク計量値である請求項９記載の方法。
【請求項１２】
ある受信時間にパワー制御コマンドをアクセスネットワークから受信し、
その受信時間を前記減少の時間と比較し、
パワー制御コマンドを前記比較にしたがって処理するステップをさらに含んでいる請求項１記載の方法。
【請求項１３】
前記データリクエスト情報はデータレート制御値を含んでいる請求項１記載の方法。
【請求項１４】
前記データリクエスト情報はキャリア対干渉比を含んでいる請求項１記載の方法。
【請求項１５】
前記減少させるステップはさらに、データリクエスト情報信号を前記評価に基づいてゲーティングするステップを含んでおり、逆方向リンク信号は複数の信号成分を含み、データリクエスト情報信号は複数の信号成分の１つである請求項１記載の方法。
【請求項１６】
前記減少させるステップはさらに、複数の信号成分の付加的な信号成分を前記データリクエスト情報信号のゲーティングと同時にゲーティングするステップを含んでいる請求項１５記載の方法。
【請求項１７】
逆方向リンク信号は複数の信号成分を含んでおり、その複数の信号成分はパイロット信号を含んでおり、前記減少させるステップは、前記複数の信号成分の全てを前記データリクエスト情報信号のゲーティングと同時にゲーティングするステップをさらに含んでいる請求項１記載の方法。
【請求項１８】
前記パイロット信号の送信を再開し、
前記パイロット信号の送信の前記再開の予め定められた期間後に前記複数の信号成分の１以上の別のものの送信を再開するステップをさらに含んでいる請求項１記載の方法。
【請求項１９】
前記減少にしたがって逆方向リンク信号のパワーが減少される時間の長さを監視し、
時間の長さが予め定められた最大送信機停止期間を超えた場合に前記減少を中断するステップをさらに含んでいる請求項１記載の方法。
【請求項２０】
ＰＮコードにより逆方向リンク信号を乗算するステップをさらに含んでいる請求項１記載の方法。
【請求項２１】
複素数ＰＮコードにより逆方向リンク信号を複素数乗算するステップをさらに含んでいる請求項１記載の方法。
【請求項２２】
利得制御されたデータリクエスト情報信号を生成するようにデータリクエスト利得制御信号に基づいてデータリクエスト情報信号を利得制御するように構成されたデータリクエスト利得モジュールと、
データリクエスト情報信号を送信した結果、アクセスネットワークによりアクセス端末が選択されたかどうかの評価を生成し、その評価に基づいて利得制御信号を変更するように構成された制御プロセッサと、
アクセスネットワークから受信した信号の１以上のパラメータの測定値に基づいてアクセス計量値を決定し、その測定値に基づいてデータリクエスト情報を生成し、アクセス計量値をアクセス計量しきい値と比較し、データリクエスト情報をアクセスネットワークに通信した結果、アクセスネットワークによりアクセス端末が選択されないことを評価し、その評価に基づいて利得制御信号を変更するように構成された制御プロセッサとを具備しているアクセス端末装置。
【請求項２３】
さらに、ウォルシュコードを使用してデータリクエスト情報信号を拡散するように構成されたウォルシュスプレッダを含んでいる請求項２２記載の装置。
【請求項２４】
制御プロセッサはさらに、平均スループット値を決定し、その平均スループット値に基づいて評価を生成するように構成されている請求項２２記載の装置。
【請求項２５】
制御プロセッサはさらに、アクセス計量値およびアクセス計量しきい値を決定し、そのアクセス計量値とアクセス計量しきい値との比較に基づいて評価を生成するように構成されている請求項２２記載の装置。
【請求項２６】
制御プロセッサはさらに、アクセスネットワークから受信した１以上のアクセス計量パラメータに基づいて平均スループット値を更新するように構成されている請求項２５記載の装置。
【請求項２７】
制御プロセッサはさらに、アクセスネットワークから受信したナンバーに基づいて平均スループット値を更新するように構成されており、そのナンバーは順方向リンクデータをモデムプールトランシーバから受信したアクセス端末の数に対応している請求項２５記載の装置。
【請求項２８】
制御プロセッサはさらに、アクセスネットワークから受信したアクセスネットワークアクセス計量値に基づいて平均スループット値を更新するように構成されている請求項２５記載の装置。
【請求項２９】
さらに、利得制御されたパイロット信号を生成するためにパイロット利得制御信号に基づいてパイロット信号成分を利得制御するように構成されたパイロット利得モジュールを含んでおり、制御プロセッサはさらに、評価に基づいてパイロット信号をゲートするためにそのパイロット利得制御信号を変更するように構成されている請求項２２記載の装置。
【請求項３０】
制御プロセッサはさらに、第１の時間にパイロット信号の利得を増加させるためにパイロット利得制御信号を変更し、第２の時間にデータリクエスト情報信号の利得を増加させるためにデータリクエスト利得制御信号を変更するように構成されており、第２の時間は第１の時間より予め定められた期間遅れる請求項２９記載の装置。
【請求項３１】
さらに、ＰＮコードによりデータリクエスト情報信号を乗算するように構成されたＰＮスプレッダを含んでいる請求項２２記載の装置。
【請求項３２】
さらに、複素数ＰＮコードによりデータリクエスト情報信号を複素数乗算するように構成された複素数ＰＮスプレッダを含んでいる請求項２２記載の装置。
【請求項３３】
上方変換された信号をゲーティング制御信号に基づいてゲートするように構成された増幅器と、
データリクエスト情報信号を送信した結果、アクセスネットワークによりアクセス端末が選択されたかどうかの評価を生成し、その評価に基づいてゲーティング制御信号を変更するように構成された制御プロセッサとを具備しているアクセス端末装置。
【請求項３４】
制御プロセッサはさらに、平均スループット値を決定し、その平均スループット値に基づいて評価を生成するように構成されている請求項３３記載の装置。
【請求項３５】
制御プロセッサはさらに、アクセス計量値およびアクセス計量値を決定し、そのアクセス計量値とアクセス計量値との比較に基づいて評価を生成するように構成されている請求項３３記載の装置。
【請求項３６】
制御プロセッサはさらに、アクセスネットワークから受信した１以上のアクセス計量パラメータに基づいて平均スループット値を更新するように構成されている請求項３５記載の装置。
【請求項３７】
制御プロセッサはさらに、アクセスネットワークから受信したナンバーに基づいて平均スループット値を更新するように構成されており、そのナンバーは順方向リンクデータをモデムプールトランシーバから受信したアクセス端末の数に対応している請求項３５記載の装置。
【請求項３８】
制御プロセッサはさらに、アクセスネットワークから受信したアクセスネットワークアクセス計量値に基づいて平均スループット値を更新するように構成されている請求項３５記載の装置。
【請求項３９】
さらに、ＰＮコードによりデータリクエスト情報信号を乗算するように構成されたＰＮスプレッダを含んでいる請求項２２記載の装置。
【請求項４０】
さらに、複素数ＰＮコードによりデータリクエスト情報信号を複素数乗算するように構成された複素数ＰＮスプレッダを含んでいる請求項３３記載の装置。
【請求項４１】
データリクエスト情報信号を送信した結果、アクセスネットワークによりアクセス端末が選択されたかどうかの評価を生成する手段と、
その評価に基づいてアクセス端末装置により送信される信号のパワーを減少させる手段とを含んでいるアクセス端末装置。
【発明の詳細な説明】
【０００１】
【発明の属する技術分野】
本発明は無線データ通信に関する。とくに、本発明は、高データレートサービスをサポートする通信システムにおいて逆方向リンク送信をゲーティングするか、あるいは減少させる新しい方法および装置に関する。
【０００２】
“例示的な”という用語はここでは“１つの典型、実例または例証になる”ことを意味するために排他的に使用されている。例示的な実施形態として説明されているいずれの実施形態も、ここに記載されている他の実施形態のものよりも常に好ましい、あるいは有効なものとして構成されているわけではない。
【０００３】
本発明は、高データレート（ＨＤＲ）通信システムにおいて逆方向リンク送信を周期的に減少させる方法および装置に関する。
【０００４】
【従来の技術】
例示的なＨＤＲシステムは、本出願人にその権利が譲渡され、ここでは‘３８６号明細書と呼ばれている米国特許出願第０８／９６３，３８６号明細書（ＭＥＴＨＯＤ ＡＮＤ ＡＰＰＡＲＡＴＵＳ ＦＯＲ ＨＩＧＨ ＲＡＴＥ ＰＡＣＫＥＴ ＤＡＴＡ ＴＲＡＮＳＭＩＳＳＩＯＮ）に記載されている。この‘３８６号明細書には、ＨＤＲ加入者ステーションが多数の直交チャンネルのＣＤＭＡ波形を使用してデータを逆方向リンクで送信するシステムが記載されている。各加入者ステーションは、データレート制御（ＤＲＣ）情報を含む逆方向リンク信号を送る。各基地局は、時間スロットに分割される順方向リンク信号を送信する。各時間スロット中に、各基地局は、加入者ステーションから受信したＤＲＣ情報に基づいてその加入者ステーションにデータを送信する。
【０００５】
例示的な実施形態において、ＤＲＣ情報とは、加入者ステーションにより測定された受信された順方向リンク信号のキャリア対干渉（Ｃ／Ｉ）比の量子化である。その代り、加入者ステーションはＤＲＣ情報の代りにＣ／Ｉ情報を使用してもよい。基地局は、加入者ステーションから受信したＤＲＣまたはＣ／Ｉ情報により指図されたそのデータレートで厳密に送信してもよいし、あるいは付加的な情報に基づいてデータレートを選択してもよい。基地局が加入者ステーションにより指図されたデータレートに忠実でない場合、加入者ステーションは順方向リンク上のレートインジケータ信号をデコードしてもよいし、あるいはある形態のブラインドレート検出を行ってもよい。
【０００６】
［定　義］
図１は例示的なＨＤＲ通信システムの概略図である。ＨＤＲ加入者ステーションは、ここではアクセス端末（ＡＴ）１０２と呼ばれ、移動していてもよいし、あるいは静止していてもよく、それぞれは、ここではモデムプールトランシーバ（ＭＰＴ）と呼ばれる１以上のＨＤＲ基地局１０４と通信してもよい。アクセス端末１０２は、ここではモデムプール制御装置（ＭＰＣ）と呼ばれるＨＤＲ基地局制御装置（示されていない）との間で１以上のモデムプールトランシーバ１０４によりデータパケットを送受信する。モデムプールトランシーバおよびＭＰＣは、アクセスネットワークと呼ばれるネットワークの一部である。アクセスネットワークは多数のアクセス端末との間でデータパケットを転送する。アクセスネットワークはさらに、このアクセスネットワークの外部の、コーポレートイントラネットまたはインターネットのような付加的なネットワークに接続されることができ、したがって各アクセス端末とこのような外部ネットワークとの間でデータパケットを転送することができる。１以上のモデムプールトランシーバとのアクティブなトラフィックチャンネル接続を設定したアクセス端末は、アクティブなアクセス端末と呼ばれ、トラフィック状態であると言われている。アクセス端末は、たとえば、光ファイバまたは同軸ケーブルを使用して無線チャンネルまたは有線チャンネルにより通信する任意のデータデバイスであってもよい。アクセス端末はさらに、ＰＣカード、コンパクトフラッシュ、外部または内部モデム、または無線または有線電話を含むが、それらに限定されないいくつかのタイプのデバイスの任意のものであってもよい。アクセス端末１０２が信号をモデムプールトランシーバ１０４に送信する通信リンクは、逆方向リンクと呼ばれる。モデムプールトランシーバ１０４が信号をアクセス端末１０２に送信する通信リンクは、順方向リンクと呼ばれる。たとえば１０２Ａ等のあるアクセス端末により送信された逆方向リンク信号は、たとえば１０２Ｂおよび１０２Ｃ等別のアクセス端末により送信された逆方向リンク信号と干渉する。この干渉により、ＨＤＲシステムの逆方向リンク容量が制限される。ここで使用されているゲーティングとは送信のオフへの切替え、あるいはほぼゼロパワーでの信号または信号成分の送信のことである。
【０００７】
【発明が解決しようとする課題】
逆方向リンク送信のために生じる干渉を減少させるために、アクセス端末はその逆方向リンク送信を周期的にゲーティングし、あるいは減少させる。ゲーティングまたは減少の周期は、順方向リンクおよび逆方向リンクのスループットが低下しない期間中にそれらが行われるように設計される。たとえば、アクセス端末は、順方向リンク送信の宛先としてアクセス端末を選択するためにアクセスネットワークにより使用されるパラメータを評価する。このようなアクセスネットワーク選択アルゴリズムの一例は、本出願人にその権利が譲渡され、ここでは‘２９８号明細書と呼ばれる米国特許出願第０９／３１７，２９８号明細書（ＴＲＡＮＳＭＩＴＴＥＲ ＤＩＲＥＣＴＥＤ， ＭＵＬＴＩＰＬＥ ＲＥＣＥＩＶＥＲ ＳＹＳＴＥＭ ＵＳＩＮＧ ＰＡＴＨ ＤＩＶＥＲＳＩＴＹ ＴＯ ＥＱＵＩＴＡＢＬＹ ＭＡＸＩＭＩＺＥ ＴＨＲＯＵＧＨＰＵＴ）に詳細に記載されている。この‘２９８号明細書には、各ユーザが通信システムへの公平なアクセスを確実に与えられるようにしながら、システムのスループットが最大化されるように順方向リンクリソースを割当てるアルゴリズムの説明が含まれている。
【０００８】
【課題を解決するための手段】
アクセスネットワークにより使用される選択アルゴリズムは一般に、全てのアクティブなアクセス端末に送信されたデータのスループットと、およびそのようなアクセス端末から受信したＤＲＣ信号とに基づいてアクセス端末を選択する。同じまたは類似の選択アルゴリズムを使用して、アクセス端末はアクセス計量およびアクセス計量しきい値を計算し、それによってモデムプールトランシーバが順方向リンクデータを受信するのにそのアクセス端末をおそらく選択しないことを予測する。アクセス端末は、結果的にそれが選択されないＤＲＣレートを送信するのではなく、ＤＲＣ信号が除去された部分的な逆方向リンク信号を送信し、あるいは、おそらく逆方向リンク信号を全く送信しない。呼のドロップを回避するためにアクセス端末は、それがその逆方向リンク信号の送信を減少する時間を予め定められた最大送信機停止期間に制限する。その逆方向リンクを減少した後に、続いてアクセス端末アクセス計量がアクセス計量しきい値を上回った場合、あるいは最大送信機停止期間の後に、アクセス端末は全逆方向リンク信号の送信を再開する。
【０００９】
【発明の実施の形態】
図２Ａは、アクセス端末が順方向リンクのキャリア対干渉（Ｃ／Ｉ）値２０２に基づいてアルゴリズムを使用したときに行われる逆方向リンク送信ゲーティングまたは減少の例示的なパターンを示している。例示的な順方向リンクのキャリア対干渉（Ｃ／Ｉ）曲線２０２は典型的なレイリーフェーディング環境において時間の関数として示されている。アクセス端末がモデムプールトランシーバの異なったカバレージエリア内を移動すると、フェーディングのために、このアクセス端末により受信された順方向リンク信号のＣ／Ｉ曲線は丸みのあるピーク２１４および急峻なバレー２１６を示す。
【００１０】
例示的な実施形態では、アクセス端末は平均化されたＣ／Ｉ値を生成するためにＣ／Ｉのローパスフィルタ処理またはウインドウ処理を行う。たとえば、アクセス端末は、予め定められた数の前の時間スロットにわたってＣ／Ｉ値の加重されていない平均を計算することにより平均化されたＣ／Ｉ値を生成することができる。代りに、アクセス端末は、前のＣ／Ｉ値の加重された平均を行うことにより平均化されたＣ／Ｉ値を生成することができる。この平均化されたＣ／Ｉ値を使用して、変化するＣ／Ｉしきい値２０４を計算することができ、このＣ／Ｉしきい値２０４は現在の時間スロットのＣ／Ｉ２０２、または“現在のＣ／Ｉ”と比較される。Ｃ／Ｉ値およびＣ／Ｉしきい値は、それぞれ“アクセス計量”および“アクセス計量しきい値”とみなされてもよく、アクセス端末はこれを使用して、順方向リンクデータを受信するのにそのアクセス端末がおそらく選択されないことを予測する。
【００１１】
Ｃ／Ｉ値がＣ／Ｉしきい値より低い値に低下するポイント２０６において、アクセス端末は逆方向リンク信号の送信を中止する。その後Ｃ／Ｉ値がＣ／Ｉしきい値より大きい値に上昇するポイント２０８において、アクセス端末はＤＲＣ情報を含む逆方向リンク信号を再び送信し始める。例示的な図面において、ゲーティングパターン２１０は、Ｃ／Ｉ曲線２０２およびＣ／Ｉしきい値２０４に関連してアクセス端末の逆方向リンク送信に対するゲーティングパターンを示している。ゲーティングパターン２１０は、アクセス端末が全逆方向リンク信号を送信しているときに高くなり、アクセス端末が逆方向リンク送信をゲーティングするか、あるいは減少させたときに低くなる。
【００１２】
平均化されたＣ／Ｉ値からＣ／Ｉしきい値を計算するために使用されるアルゴリズムは時間にわたって一定であってもよいし、変化してもよい。たとえば、Ｃ／Ｉしきい値は平均化されたＣ／Ｉ値を定数ｋにより乗算することで簡単に計算されることができ、ここでｋ＜１である。別の実施形態において、ｋはアクセス端末が送信を中止している時間の長さ２１２に基づいて変化し、この時間の長さ２１２は送信機停止期間と呼ばれる。送信機停止期間は長くなるにつれて、ｋは増加する。例示的な実施形態では、たとえば２秒等の予め定められた最大送信機停止期間後にｋはゼロになる。これは、モデムプールトランシーバによる接続の終了または逆方向リンクパワー制御メカニズムの有効性の減少のような、逆方向リンク送信を停止させたことの望ましくない副作用を軽減する利点がある。例示的な実施形態においては、アクセス端末は、送信機停止期間の範囲内の時間スロットに関連して受信した逆方向リンクパワー制御コマンドを無視する。
【００１３】
別の実施形態において、アクセス端末は、あるスロットに対するＣ／Ｉ値に対してＣ／Ｉしきい値を比較するのではなく、計算された選択評価に対してＤＲＣレートを比較する。順方向リンク送信に対する宛先アクセス端末を選択するためにアクセスネットワークにより使用されるアルゴリズムに基づいて、アクセス端末はそれ自身のアルゴリズムを使用して選択評価Ａを計算する。例示的な実施形態では、選択評価は、アクセス端末に関連した平均順方向リンクスループットに基づいて計算される。たとえば、アクセス端末は、前の５０の順方向リンク時間スロット中に受信した毎秒当りの平均データバイト数（有限インパルス応答特性、すなわちＦＩＲフィルタを使用してフィルタ処理された）を計算してもよい。その代りに、平均スループットは、無限インパルス応答特性、すなわちＩＩＲフィルタを使用して計算されてもよい。この平均は、アクセス端末によりリクエストされたデータレートに基づいていてもよい。その代りに、アクセス端末およびアクセスネットワークにより使用されるプロトコルが順方向リンクデータの通知を規定している場合、アクセス端末は承認されたデータレートに基づいて平均スループットを計算してもよい。アクセス端末がデータを受信しない状態で各順方向リンク時間スロットが経過した場合、この選択評価は崩壊（ｄｅｃａｙ）する。
【００１４】
アクセスネットワークにより使用される選択アルゴリズムは、順方向リンクスループットを最大化したいと所望することと、アクセス端末が順方向リンクデータ不足にならないようにすることとを釣り合わせるように設計されることができる。アクセスネットワークは、たとえば、履歴的な順方向リンクスループットおよびアクセス端末の順方向リンクデータ待ち行列中のデータの存在等の、アクティブな各端末に対して維持された情報に基づいて選択アルゴリズムを使用することが多い。アクセス端末は、その順方向リンクデータ待ち行列中にデータが存在している場合にのみ選択される資格がある。アクセスネットワークはまた、宛先アクセス端末の選択時にアクセス端末から受信したＤＲＣレート情報を使用することができる。
【００１５】
例示的な実施形態において、モデムプールトランシーバは、任意の特定の時間スロット中に順方向リンクデータをアクセス端末に送信する。その代り、モデムプールトランシーバは、ある時間スロック中に順方向リンクデータを２以上のアクセス端末に送信してもよい。アクセス端末は、そのアクセス端末に送信される必要のある順方向リンクデータが存在する場合にのみ選択される資格がある。アクセスネットワークは、アクティブな各アクセス端末に対する順方向リンクデータ待ち行列を維持する。アクセス端末に送信する順方向リンクデータが残っていない場合、そのアクセス端末に関連した順方向リンクデータ待ち行列は最終的に空になる。例示的な実施形態において、宛先アクセス端末の選択は、アクセスネットワークが各アクセス端末に対して維持するアクセス計量と、アクセス端末の順方向リンクデータ待ち行列の状態の両方に基づいている。各モデムプールトランシーバについては、大きいアクセス計量値（あるいは、多くの場合、最大アクセス計量値）を有するアクセス端末が、順方向リンク送信を受信する空でない順方向リンクデータ待ち行列を有するアクセス端末の中から選択される。
【００１６】
アクティブなアクセス端末の数、チャンネル状態およびデータレートが時間に対して一定のままである場合、アクセス計量値の定常状態ネットワークしきい値が現れる。順方向リンクデータを受信するために、ネットワークしきい値より大きいアクセス計量値を有するアクセス端末が即座に選択される。順方向リンクデータを受信するために、ネットワークしきい値より小さいアクセス計量値を有するアクセス端末は選択されない。
【００１７】
図２Ｂは別のアルゴリズムを使用する逆方向リンク送信ゲーティングのパターンを示している。例示的な実施形態において、逆方向リンク送信ゲーティングまたは減少は、平均スループットおよびＤＲＣ値のような測定された順方向リンクチャンネル状態の関数として計算されたアクセス計量ＡＭに基づいている。アクセス端末はダイナミックに変化するアクセス計量しきい値ＴｈＡＭを維持する。各スロットに対して、アクセス端末は現在のアクセス計量値を計算し、それをアクセス計量しきい値ＴｈＡＭと比較する。この比較に基づいて、アクセス端末は次の逆方向リンク時間スロット中に送信された逆方向リンク信号のゲーティングまたは減少を行うべきか否かを決定する。その代りに、アクセス端末はこの比較に基づいて、たとえば、ＤＲＣ信号成分等の、逆方向リンク信号の成分の選択サブセットをゲーティングするか、あるいは減少することができる。
【００１８】
例示的な実施形態において、アクセス端末は、ＡＭがアクセス計量しきい値ＴｈＡＭより小さい場合には常にその逆方向リンク送信を減少させるか、あるいはゲートする。別の実施形態では、アクセス端末は、ＡＭがＳ＊ＴｈＡＭより小さい場合には常にその逆方向リンク送信を減少させるか、あるいはゲートし、ここでＳは１より小さいスケーリング係数である。スケーリング係数Ｓは定数であってもよいし、あるいは時間と共に変化してもよい。１実施形態において、Ｓは、それが、たとえば２秒等の、予め定められた最大送信機停止期間後にゼロに等しくなるように小さくなる。
【００１９】
例示的な実施形態において、アクセス端末は次式に基づいてアクセス計量ＡＭを計算する：
ＡＭ＝ＣｈＣ／ＴＡＶＧ　　　　　　　 （式１）
ここで、ＣｈＣは、たとえばＤＲＣ値等の、測定された瞬間チャンネル状態であり、
ＴＡＶＧ は次の式２にしたがって計算された平均スループット値であり、
ＡＭは現在の時間スロットに対するアクセス計量値である。
【００２０】
例示的な実施形態において、時間スロットに対する平均スループットＴＡＶＧ は次式にしたがって計算される：
ＴＡＶＧ（新）＝［（１−ｋ）×ＴＡＶＧ（前回）］＋［（ｋ）×ＴＣＵＲ］　　（式２）
ここで、ｋはフィルタ定数であり、
ＴＡＶＧ（新）は平均スループットの新しい値であり、
ＴＡＶＧ（前回）は、たとえば前の時間スロット中に計算された平均スループットのような平均スループットの前の値であり、
ＴＣＵＲは、たとえばアクセス端末がデータを受信しないときのゼロで、アクセス端末がデータを受信しているときそのデータレートであるような、データスループットの現在の値である。上述したように、このスループットは、アクセス端末によりリクエストされたスループットまたはアクセスネットワークにより承認されたスループットのいずれであってもよい。
【００２１】
図２Ｂに示されている例示的な実施形態において、ＤＲＣ値はアクセス計量ＡＭを計算したときの瞬間的なチャンネル状態ＣｈＣ２５０を表すために使用される。例示的な実施形態では、ＤＲＣ値は、アクセス端末において測定されたキャリア対干渉比（Ｃ／Ｉ）に基づいて１組の利用可能なデータレートから選択されたデータレートである。各ＤＲＣ値はある範囲のＣ／Ｉ値にわたって有効であり、したがってＣ／Ｉの量子化である。式１に示されているように、例示的な実施形態では、平均スループットはチャンネル状態ＣｈＣを平均スループットＴＡＶＧで除算することにより計算される。Ｃ／Ｉは時間的に連続しているが、Ｃ／Ｉが１つのＤＲＣレート範囲から別のＤＲＣレート範囲にしきい値を横切る場合に、ＤＲＣ値は段階的に変化する。その結果、アクセス計量ＡＭは、ＤＲＣ値が変化したときに、値における段階的な変化２６０を示す。
【００２２】
アクセス端末の平均スループットは、アクセス端末が順方向送信を受信しないあいだに減少し、アクセス端末がデータを受信する時間スロット中に増加する。その結果、アクセス計量ＡＭは、アクセス端末が順方向リンクデータを受信していない期間２５４中に増加し、アクセス端末が順方向リンクデータを受信している期間２５２中に減少する。
【００２３】
例示的な実施形態において、アクセスネットワークはデータを受信するための順方向リンク時間スロット当り１つの宛先アクセス端末を選択する。アクセス端末は、その順方向リンクデータ待ち行列中にデータが存在している場合にのみ選択される資格がある。資格のあるアクセス端末の中から、最大アクセス計量値を有するアクセス端末が選択される。アクセスネットワークにより選択されたアクセス端末のアクセス計量値は、アクティブなアクセス端末の数および受信されたＤＲＣ信号のような付加的な係数に基づいて変化することができる。ネットワーク状態が比較的一定のままである（すなわち、アクティブなアクセス端末の数が一定のままであり、順方向リンクチャンネル状態が安定しており、全てのアクセス端末がデータを受信するので、それらの順方向リンクデータ待ち行列が空ではない）場合、各スロットに対して選択されたアクセス端末のアクセス計量は比較的一定した値に安定する。この安定化された値より小さいアクセス計量を有するアクセス端末は選択されないであろう。この安定化された値は、特定のアクセス計量を有するアクセス端末が選択されるか否かを予測するために使用されることのできるネットワークしきい値とみなすことができる。
【００２４】
ネットワークしきい値に影響を与える種々の係数が時間的に安定しないときでさえ、アクセス端末はネットワークしきい値を評価することができる。上述したように、アクセス端末は、そのアクセス計量値がこのアクセスネットワークしきい値より大きい場合にのみ順方向リンクデータを受信するために選択される。例示的な実施形態において、アクセス端末はアクセス計量しきい値を維持し、これを使用して、それがアクセスネットワークにより選択されるか否かを予測する。例示的な実施形態では、アクセス計量しきい値はネットワークしきい値の評価である。
【００２５】
実際のネットワークしきい値は、アクティブなアクセス端末と、各アクセス端末の順方向リンクデータ待ち行列中のデータの存在と、および一般に個々のアクセス端末が利用できない他の変化するパラメータとの関数である。アクセス端末は、それがアクセスネットワークと同じパラメータにアクセスして、同じアルゴリズムを使用する場合にのみ、それが選択されるか否かを正確に予測することができる。したがって、アクセス端末は一般に、それが選択されるか否かを完全に正確には予測できない。
【００２６】
アクセス端末は、不完全な評価を使用してさえ、逆方向リンク信号を選択的にゲーティングするか、あるいは減少することによりネットワークの逆方向リンク容量を増加させることができる。例示的な実施形態において、アクセスネットワークはこの情報の一部分をアクセス端末に提供して、それがアクセスネットワークにより選択されそうであるか否かをさらに正確に決定する。たとえば、例示的な実施形態では、アクセスネットワークはアクティブなアクセス端末の数を順方向リンクで周期的に送信する。
【００２７】
アクセス端末の予測の正確さは、アクセス端末およびアクセスネットワークの両者が同じアルゴリズムを使用した場合に最良であるが、当業者は、逆方向リンク容量の改善を達成するためにアルゴリズムが同じである必要がないことを認識するであろう。例示的な実施形態において、アクセス端末は、ネットワークしきい値の評価をそのアクセス計量しきい値として使用する。別の実施形態において、アクセス端末は、ネットワークしきい値の評価ではないアクセス計量しきい値を使用する。いずれにしても、アクセス端末は、アクセス計量値がアクセス計量しきい値より小さい場合にその送信パワーを制限する。
【００２８】
アクセス端末は、それが順方向リンクデータを受信するのに選択されるか否かを予測するためにそのアクセス計量値をアクセスしきい値と比較する。アクセス計量しきい値より小さいアクセス計量値は、その時点であるいは次の順方向リンク時間スロット中に、アクセス端末が順方向リンクデータを受信するために選択されそうにないことを示す。アクセス端末が、それが選択されそうにないことを決定し、送信すべき逆方向リンクデータを有しない場合、アクセス端末はその逆方向リンク信号のパワーを減少させることにより逆方向リンク干渉へのその影響を最小にする。例示的な実施形態において、アクセス端末は、たとえば、逆方向リンクパイロットだけ等、逆方向リンク信号成分のサブセットだけを送信することにより逆方向リンク送信パワーを減少させる。別の実施形態においては、アクセス端末はある時間期間のあいだ逆方向リンク信号を完全に送信しないようにすることを選択することができる。
【００２９】
図２Ｂの例示的なグラフには、例示的な実施形態にしたがってアクセス計量ＡＭがグラフライン２５０で示され、アクセス計量しきい値が破線のグラフライン２７０で示され、送信機状態がグラフライン２７２で示されている。送信機状態２７２は、アクセス端末が逆方向リンク信号を送信しているあいだは高く、アクセス端末がその逆方向リンク信号のゲーティングまたは減少を行っている期間中は低い。さらに図２Ｂにおいて、グラフライン２７４は、アクセス端末が選択されて順方向リンクデータをアクセスネットワークから受信しているか否かを示している。グラフライン２７４が高い場合、アクセス端末は順方向リンクデータを受信している。グラフライン２７４が低い場合、アクセス端末は順方向リンクデータを受信していない。
【００３０】
図２Ｂにおいて、アクセス計量しきい値２７０は、アクセス計量２５０のものより小さい値２５８Ａからスタートする。アクセス端末が順方向リンクデータを受信しているあいだ、そのアクセス計量は絶え間なく減少する（２５２Ａ）。時間Ｔ１において、チャンネル状態は、ＤＲＣ値が減少されるように低下する。チャンネル状態は、マルチパス干渉のために生じるレイリーフェーディング、アクセス端末とモデムプールトランシーバとの間の直線路に現れたオブジェクト、またはアクセス端末と送信中のモデムプールトランシーバとの間の距離の増加を含むいくつかの理由の任意のもののために低下する可能性がある。ＤＲＣの減少のために、アクセス計量は時間Ｔ１においてアクセス計量しきい値２５８Ａより下に落ちる。その結果、時間Ｔ１では、アクセス端末は送信機状態２７２のグラフで示されているように送信を中止する。この期間中、アクセス端末はＤＲＣ信号を送信せず、したがって順方向リンクデータを受信しない。
【００３１】
アクセス端末がデータを受信していないあいだ、アクセス計量値は示されているように徐々に増加する。時間Ｔ２において、ＤＲＣ値は大きい値に変化し、アクセス計量が増加する（２６０Ｂ）。時間Ｔ２では、アクセス計量値は、アクセス計量しきい値より大きい値をとる。アクセス計量値とアクセス計量しきい値との間の比較に基づいて、アクセス端末は、逆方向リンク信号の送信を再開する。この例では、アクセス計量値がアクセス計量しきい値より大きいが、アクセス端末は順方向リンクデータを受信しない。これは、そのネットワークにはアクセス端末に送信すべき順方向リンクデータがないか、あるいは実際のネットワークしきい値がアクセス計量しきい値より大きいかのいずれかを意味している可能性が高い。アクセス端末がデータを受信していないあいだ、アクセス計量値は絶え間なく増加する（２５４Ｂ）。
【００３２】
時間Ｔ３において、ＤＲＣ値は再び増加し、アクセス計量値の別の段階的な増加（２６０Ｃ）を発生させる。アクセスネットワークは即座にその新しいアクセス計量値でアクセス端末に順方向リンクトラフィックを送信し始める。この例では、アクセス端末はその後、時間Ｔ３におけるＤＲＣ値のジャンプの直前の期間２５４Ｂ中に到達した最大アクセス計量値２５８Ｂと等しくなるようにそのアクセス計量しきい値を調節する。別の実施形態においては、アクセス端末は、その同じ最大アクセス計量値２５８Ｂから、たとえば３ｄＢ等の、予め定められたガード（ｇｕａｒｄ）値を引いたものにそのアクセス計量しきい値を調節する。
【００３３】
アクセス端末が順方向リンクデータを受信しているあいだ、アクセス計量は絶え間なく減少する（２５２Ｂ）。時間Ｔ４において、別のアクセス端末がモデムプールトランシーバによってサービスされているために、あるいは送信すべき順方向リンク送信対象がもはや存在しないために、アクセス端末は順方向リンクデータの受信を中止する。アクセス端末が順方向リンクデータを受信していない期間中、アクセス計量は絶え間なく増加する（２５４Ｃ）。
【００３４】
時間Ｔ５において、ＤＲＣ値は著しく低下し、アクセス計量値の段階的減少２６０Ｄを生じさせる。新しいアクセス計量値はアクセス計量しきい値より小さく、そのためアクセス端末は逆方向リンク信号の送信を中止する。この期間中、アクセス端末はＤＲＣ信号を送信せず、したがって順方向リンクデータを受信しない。アクセス端末が順方向リンクデータを受信しないあいだ、アクセス計量値は絶え間なく増加する（２５４Ｄ）。
【００３５】
上述したように、送信機をあまり長く停止することはアクセス端末にとって望ましくない。この例では、アクセス端末は、アクセス計量値が依然としてアクセス計量しきい値より低くても、最大送信機停止期間後に送信機をオンに切替えて戻す。この例では、最大送信機停止期間は時間Ｔ６で終了する。その時点において、アクセス端末は、アクセス計量値が依然としてアクセス計量しきい値より低くても、逆方向リンク信号の送信を再開する。
【００３６】
時間Ｔ７において、ＤＲＣ値は再び増加し、アクセス計量の別の段階的増加２６０Ｅを生じさせる。アクセス端末は即座にその新しいアクセス計量値でアクセスネットワークから順方向リンクトラフィックを受信し始める。この例では、アクセス端末はその後、時間Ｔ７におけるＤＲＣ値のジャンプの直前の期間２５４Ｄ中に到達した最大アクセス計量値２５８Ｃと等しくなるようにそのアクセス計量しきい値を調節する。別の実施形態では、アクセス端末は、その同じ最大アクセス計量値２５８Ｃから、たとえば３ｄＢ等の、予め定められたガード（ｇｕａｒｄ）値を引いたものにそのアクセス計量しきい値を調節する。
【００３７】
アクセス端末が順方向リンクデータを受信しているあいだ、アクセス計量値は絶え間なく減少する（２５２Ｃ）。時間Ｔ８において、別のアクセス端末がモデムプールトランシーバによってサービスされているために、あるいは送信すべき順方向リンク送信対象がもはや存在しないために、アクセス端末は順方向リンクデータの受信を中止する。アクセス端末が順方向リンクデータを受信していない期間中、アクセス端末において計算されたアクセス計量値は絶え間なく増加する（２５４Ｅ）。
【００３８】
時間Ｔ９において、アクセスネットワークは順方向リンクデータをアクセス端末に再度送信し始める。送信の開始はアクセス計量の突然の増加と一致しないので、アクセス端末は、ネットワークしきい値が現在のアクセス計量値より下であると仮定する。アクセス端末は、現在のアクセス計量値より、たとえば３ｄＢ等の予め定められたガード値だけ小さい値にそのアクセス計量しきい値を設定する。アクセス端末が順方向リンクデータを受信しているあいだ、アクセス計量値は減少を続ける（２５２Ｄ）。同時に、アクセス計量しきい値は、それがアクセス計量値よりガード値だけ小さく維持されるように減少する（２５８Ｄ）。
【００３９】
上述したように、延長した期間のあいだ逆方向リンク信号を送信しないようにすることは一般に望ましくない。１つの理由は、それが逆方向リンクパワー制御アルゴリズムを妨害するためである。別の理由としては、アクセスネットワークは、それが逆方向リンク信号をアクセス端末から受信しなかった場合にはアクセス端末とのその通信リンクが失われたと仮定するためである。その結果、アクセスネットワークはアクセス端末とのその接続を終了する。
【００４０】
例示的な実施形態において、アクセス端末が逆方向リンク信号を送信していないあいだ、アクセス端末はアクセスネットワークからの関連した逆方向リンクパワー制御コマンドを無視する。別の実施形態では、アクセス端末がその逆方向リンク送信のゲートまたは減少を行ったことがモデムプールトランシーバにより決定された場合、モデムプールトランシーバアルゴリズムは逆方向リンク上のフレームエラーを無視する。これにより、モデムプールトランシーバにおけるパワー制御アルゴリズムがその外部ループ設定ポイントを間違って増加することが防止される。
【００４１】
例示的な実施形態において、アクセス端末は、そのアクセス計量値がアクセス計量しきい値より小さい期間中逆方向リンク信号の送信を止める。しかしながら、この期間が予め定められた最大送信機停止期間より長く続く場合には、アクセス端末は再度その送信機をオンに戻す。アクセス端末は、少なくとも、たとえば５ミリ秒等の、予め定められた最小送信機回復期間のあいだ逆方向リンク信号を送信し続ける。この最小送信機回復期間は、送信機が停止したことでアクセスネットワークがアクセス端末とのその接続を終了しないことを保証すると共に、モデムプールトランシーバサーチャによる逆方向リンクマルチパス成分の正確な追跡を可能にするように設計されている。
【００４２】
アクセス端末がある期間中逆方向リンク信号の送信を止める例示的な実施形態において、このような期間の後、ある信号の送信を再開する前に別の信号の送信を再開することもまた有効である。たとえば、アクセス端末は、別の逆方向リンク信号成分の送信を再開する前にパイロット信号の送信を再開してもよい。これを行うことにより、モデムプールトランシーバ内におけるパイロットフィルタのプレローディングおよびマルチパス追跡が可能になる。
【００４３】
上述したどの実施形態でも、アクセス端末は、１以上の別のアクセス端末に供給するパラメータに基づいてそのアクセス計量しきい値を決定することができる。例示的な実施形態において、このようなパラメータはアクセスネットワークから周期的に受信される。これらのパラメータには、モデムプールトランシーバまたはアクセスネットワークによりサービスされているアクティブなユーザの数、前に選択されたアクセス端末のアクセス計量または平均スループット値が含まれるが、それに限定されない。当業者は、アクセスネットワークから受信された付加的な特定のパラメータがここに記載された方法から逸脱することなく上述のパラメータとは異なっていてもよいことを認識するであろう。
【００４４】
当業者は、最大送信機停止期間および最小送信機回復期間のような上述した値が一例として使用されているに過ぎず、記載された実施形態を逸脱することなく変更可能であることを認識するであろう。さらに、逆方向リンク信号成分の、とくに説明したもの以外の他の種々の組合せを減少させることは、説明された実施形態の技術的範囲に入るとみるべきである。
【００４５】
図３は、逆方向リンク送信を減少または完全に停止すべき時期を決定するアクセス端末の方法を示すフローチャートである。各順方向リンク時間スロットに対して、ステップ３０２において、アクセス端末は順方向リンクチャンネル状態を測定する。順方向リンクチャンネル状態を決定するために測定され、使用されるパラメータには、受信された信号のキャリア対干渉比（Ｃ／Ｉ）と受信された信号パワーのようなパラメータが含まれる。ステップ３０４において、アクセス端末はチャンネル状態測定値からアクセス計量ＡＭ値を決定する。例示的な実施形態では、ＡＭは上述したデータレート制御（ＤＲＣ）値および平均スループット値を使用して計算される。
【００４６】
ステップ３０６において、アクセス端末は新しいＡＭ値をアクセス計量しきい値ＴＨＡＭと比較し、全逆方向リンク信号を送信すべきか否かを決定する。ＡＭがＴＨＡＭより大きい場合、ステップ３１０において、アクセス端末は全逆方向リンク信号を送信する。例示的な実施形態では、全逆方向リンク信号はパイロットおよびＤＲＣ情報を含んでいる。ＡＭがＴＨＡＭより小さい場合、ステップ３０７において、アクセス端末は、その逆方向リンク送信が前の逆方向リンク時間スロットですでに減少されているか否かをチェックする。逆方向リンク送信がすでに減少されていた場合、アクセス端末は、それらがどの程度の長さを減少されたかを決定する。減少の期間は最大送信機停止期間と比較される。減少の期間が最大送信機停止期間より長い場合、ステップ３１０においてアクセス端末は全逆方向リンク信号の送信を再開する。
【００４７】
例示的な実施形態において、アクセス端末はまた、ＡＭがＴＨＡＭより小さい期間中それが全逆方向リンク信号を送信する時間の長さを制限する。アクセス端末は、ステップ３０７においてタイマーをチェックして、ステップ３０８において逆方向リンク信号送信を減少すべきか否かを決定するか、あるいはステップ３１０において全逆方向リンク信号を送信すべきか否かを決定する。たとえば、ＡＭがＴＨＡＭより小さいままである長い期間中、アクセス端末は最大送信機停止期間のあいだその逆方向リンク送信を減少させる。その後、最小送信機回復期間のあいだＡＭが依然としてＴＨＡＭより小さい場合、アクセス端末はその逆方向リンク送信を再び減少させる。最大送信機停止期間後に全逆方向リンク信号送信を回復し、最小送信機回復期間後に逆方向リンク信号送信を減少させるこのサイクルは、ＡＭがＴＨＡＭより大きくなるまで続行する。
【００４８】
上述のように、ステップ３０８においてアクセス端末はその逆方向リンク送信を異なった方法で減少させてもよい。例示的な実施形態において、アクセス端末は全逆方向リンク信号の全ての成分の送信をゲートし、あるいは停止する。別の実施形態において、アクセス端末は、ＤＲＣ成分が欠如していることを除いて完全である逆方向リンク信号を送信する。別の実施形態においては、アクセス端末は逆方向リンク信号成分のある別のサブセットを送信する。その代わり、アクセス端末は逆方向リンク信号成分の一部分または全てを完全にゲートするのではなく、それらを減少されたパワーレベルで送信してもよい。
【００４９】
例示的な実施形態において、アクセス端末は逆方向リンク信号の全ての成分の送信を停止するが、別のチャンネルを再開する前にパイロット信号の送信を再開する。これによって、モデムプールトランシーバにおけるパイロットフィルタのプレローディングが可能になる。
【００５０】
ステップ３１０における全逆方向リンク信号の送信またはステップ３０８における減少された逆方向リンク信号の送信のいずれかの後に、アクセス端末は、ステップ３１２において受信された全ての順方向リンクデータを処理し、ステップ３１４においてＴＡＶＧおよびＴＨＡＭを更新する。その後、アクセス端末は再びステップ３０２で順方向リンクチャンネル状態を測定することにより次の時間スロットの処理を開始する。
【００５１】
アクセス端末が全逆方向リンク信号を送信するか否かにかかわらず、アクセスネットワークは逆方向リンクパワー制御コマンドをアクセス端末に連続的に送信してもよい。アクセスネットワークが逆方向リンクパワー制御コマンドの基礎をゲートされた、あるいは減少されたパワーで送信された信号成分に置いている場合、これらのパワー制御コマンドは、逆方向リンクチャンネル状態を正確に反映しないであろう。例示的な実施形態において、アクセス端末は、このアクセス端末が全逆方向リンク信号を送信していなかった期間に関連した逆方向リンクパワー制御コマンドで特別な処理を無視するか、あるいは処理を行う。
【００５２】
図４には、例示的なアクセス端末装置が示されている。示されている例示的な実施形態において、装置、パイロット、補助データ、データレート制御（ＤＲＣ）および基本データ信号はウォルシュコードにより拡散されて、利得制御され、複素擬似雑音（ＰＮ）スプレッダ４１０において拡散される前に加算される。パイロット信号は、ウォルシュスプレッダ４０１ＡにおいてパイロットウォルシュコードＷＰと乗算され、利得ブロック４０２Ａにおいて利得制御される。補助データ信号はウォルシュスプレッダ４０１Ｂにおいて補助データウォルシュコードＷＳと乗算され、利得ブロック４０２Ｂにおいて利得制御される。ＤＲＣ信号は、ウォルシュスプレッダ４０１ＣにおいてＤＲＣウォルシュコードＷＤと乗算され、利得ブロック４０２Ｃにおいて利得制御される。基本データ信号は、ウォルシュスプレッダ４０１Ｄにおいて基本データウォルシュコードＷＦと乗算され、利得ブロック４０２Ｄにおいて利得制御される。
【００５３】
例示的な実施形態において、ウォルシュスプレッダ４０１は、異なったウォルシュコードをパイロット、ＤＲＣならびに補助および基本データ信号と乗算する乗算器として構成されている。ウォルシュ拡散の前に、パイロット、ＤＲＣならびに補助および基本データ信号は、たとえば＋１および−１等の、信号ポイントマッピングされた値に変換される。別の実施形態において、信号ポイントマッピングは、利得ブロック４０２における利得制御の直前に行われる。このような別の実施形態においては、ウォルシュスプレッダ４０１は乗算ではなく、ウォルシュカバーとのＸＯＲ機能を行う。別の実施形態において、パイロット信号は、実際には何も拡散しない“ウォルシュ関数ゼロ”またはＷ０を使用して拡散される。このような別の実施形態では、ウォルシュスプレッダ４０１Ａは除去されることができる。
【００５４】
利得ブロック４０２Ａおよび４０２Ｂにより生成された利得制御された信号は加算され、加算装置４０８Ａの出力を形成する。利得ブロック４０２Ｃおよび４０２Ｄにより生成された利得制御された信号は加算され、加算装置４０８Ｂの出力を形成する。加算装置４０８Ａの出力はＰＮスプレッダ４１０において複素ＰＮコードにより乗算された信号の同位相（Ｉ’）または“実数”成分を供給する。加算装置４０８Ｂの出力はＰＮスプレッダ４１０において複素ＰＮコードにより乗算された信号の直交位相（Ｑ’）または“虚数”成分を供給する。複素ＰＮスプレッダ４１０の出力は、ＩおよびＱ成分を有する複素数信号である。これらの成分はそれぞれ、ミキサ４１４Ａおよび４１４Ｂにおいて上方変換される前に、ベースバンドフィルタ４１２Ａおよび４１２Ｂを使用して濾波される。ミキサ４１４Ａおよび４１４Ｂにおける上方変換は、示されているようにベースバンドフィルタ４１２Ａおよび４１２Ｂの出力を正弦および余弦信号と乗算することにより行われる。その後、ミキサ４１４の出力は加算装置４１６において加算され、増幅器４１８において増幅されてアンテナ４２０によって送信される上方変換された逆方向リンク信号を形成する。
【００５５】
利得ブロック４０２により種々の信号に適応される利得レベルは、制御プロセッサ４２４により制御される。この制御プロセッサ４２４は、スロットタイミングのようなタイミング情報をシステム時間プロセッサ４２６から受信する。その後、制御プロセッサ４２４は、上述したアルゴリズムまたは実施形態の１つにしたがって逆方向リンク送信をゲートまたは減少する時期を決定する。その後、制御プロセッサ４２４はアクセス計量をアクセス計量しきい値と比較し、この比較に基づいて逆方向リンク信号の送信パワーのゲートまたは減少を行う。例示的な実施形態において、制御プロセッサ４２４は、１以上の別のアクセス端末に供給するアクセスネットワークから受信されたパラメータを使用して、アクセス計量しきい値を決定する。
【００５６】
一般に、制御プロセッサ４２４は、アクセス計量値がアクセス計量しきい値より小さい期間中に逆方向リンク送信をゲートするか、あるいは減少させる。例示的な実施形態において、制御プロセッサ４２４はシステムプロセッサ４２６からのタイミング情報を使用して、逆方向リンク送信のゲートまたは減少が行われる期間を調整する。たとえば、この期間が予め定められた最大送信機停止期間より長く持続する場合、制御プロセッサ４２４はアクセス端末に全逆方向リンク信号の送信を再開させる。例示的な実施形態では、制御プロセッサ４２４は、再開されたこのような全逆方向リンク信号送信を少なくとも、たとえば、予め定められた最小送信機回復期間中続行させる。
【００５７】
例示的な実施形態おいて、制御プロセッサ４２４は、各利得ブロック４０２にほぼゼロの利得をそれらの各入力信号に適応するように指示することにより逆方向リンク送信を完全にゲートする。その代り、制御プロセッサ４２４は増幅器４１８に送信を停止させるか、あるいはほぼゼロのパワーで送信させてもよい。上述したように、アクセス端末は、逆方向リンク信号をゲートした後、別の逆方向リンク信号成分の送信を再開する前にパイロット信号の送信を再開することができる。制御プロセッサ４２４は、利得ブロック４０２Ｂ、４０２Ｃおよび４０２Ｄ中の利得をほぼゼロに設定し、一方パイロット利得ブロック４０２Ａ中の利得をゼロでない値に設定することによりパイロット送信を最初に再開させる。別の実施形態では、パイロット利得ブロック４０２Ａは、非パイロット信号だけがゲートまたは減少されるように除去される。
【００５８】
別の実施形態においては、制御プロセッサ４２４は、上述したアルゴリズムの１つにしたがって、逆方向リンク信号成分のサブセットだけの利得をゲートまたは減少する。例示的な実施形態では、非パイロット信号だけがゲートされるか、あるいはこれらの信号を減衰させるために利得ブロック４０２Ｂ、４０２Ｃおよび４０２Ｄを使用して減少されたパワーで送信される。
【００５９】
例示的な実施形態において、制御プロセッサ４２４はまた、１以上のモデムプールトランシーバから受信された逆方向リンクパワー制御コマンドに基づいて逆方向リンクパワー制御アルゴリズムを実行する。このアルゴリズムにしたがって、制御プロセッサ４２４は、逆方向リンクパワーを変更するために利得ブロック４０２または増幅器４１８の一方または両方を使用して逆方向リンクパワーを調整する。例示的な実施形態において、制御プロセッサ４２４は、アクセス端末が全逆方向リンク信号を送信していなかった期間に関連した逆方向リンクパワー制御コマンドにおける特別な処理を無視するか、あるいは実行する。
【００６０】
当業者は、利得制御されたチャンネル信号が説明された実施形態から逸脱せずにＰＮスプレッダ４１０の前に異なって組合せられることができることを認識するであろう。たとえば、加算装置４０８Ａは利得ブロック４０２Ａおよび４０２Ｂではなく利得ブロック４０２Ａおよび４０２Ｃの利得制御された出力を加算してもよい。その代りに、ある信号が別々に利得制御され、加算装置４０８Ａおよび４０８Ｂにより実数および虚数の両成分出力に加算されてもよい。
【００６１】
例示的な実施形態において、ＰＮスプレッダ４１０は次式：
Ｉ＝Ｉ’ＰＮＩ−Ｑ’ＰＮＱ
Ｑ＝Ｉ’ＰＮＱ−Ｑ’ＰＮＩ
にしたがって、成分ＰＮＩおよびＰＮＱを有する複素数ＰＮコードにより加算装置４０８Ａおよび４０８Ｂの出力を複素数乗算する。
【００６２】
別の実施形態では、ＰＮスプレッダ４１０は次式：
Ｉ＝Ｉ’ＰＮ
Ｑ＝Ｑ’ＰＮ
にしたがって、単一の実数ＰＮシーケンスにより加算装置４０８Ａおよび４０８Ｂの出力を乗算する。
【００６３】
その他の実施形態においては、ある別の複素数または実数乗算式が使用される。
【００６４】
例示的な実施形態において、制御プロセッサ４２４はマイクロプロセッサ、マイクロ制御装置、電子媒体中に記憶された一連のソフトウェア命令を実行することのできるＤＳＰまたは類似のデバイスである。例示的な実施形態では、制御プロセッサ４２４は、たとえばメモリ４２２等のメモリ中に記憶されたコードを実行する。制御プロセッサ４２４はまたアクセス計量値、アクセス計量しきい値および関連した変数のような一時的値をメモリ４２２中に記憶する。さらに、制御プロセッサ４２４は、逆方向リンクパワー制御パラメータならびに最大送信機停止タイマーまたは最小送信機回復タイマーに関連したタイマー値のような一時的値を記憶してもよい。
【００６５】
上述された実施形態において、各アクセス端末は逆方向リンク信号を１以上のモデムプールトランシーバに送信する。各モデムプールトランシーバはこれらの信号を使用して、アクセス端末が各順方向リンク時間スロット中に順方向リンク送信を受信するか否かを決定する。モデムプールトランシーバはまたこれらの逆方向リンク信号を使用して、順方向リンクデータが任意のアクセス端末に送信されることのできる最大データレートを決定する。逆方向リンク信号は、一般にデータリクエスト情報と呼ばれるＤＲＣ情報またはＣ／Ｉ情報を含んでいてもよい。当業者は、データリクエスト情報が本発明の技術的範囲を逸脱することなく別の形態をとってもよいことを認識するであろう。たとえば、アクセス端末は、受信した順方向リンク信号のシンボルエラーレートまたはヤマモト計量値をデータリクエスト情報として送信してもよい。
【００６６】
例示的な実施形態において、アクセスネットワーク内の各モデムプールトランシーバは、宛先アクセス端末から受信されたデータリクエスト情報により指定されたデータレートを使用して順方向リンク送信を一時に１つのアクセス端末に導く。このような実施形態においては、アクセス端末は前に送信されたデータリクエスト情報だけに基づいたデータレートで順方向リンクを復調する。その代りに、アクセスネットワークは、宛先アクセス端末から受信されたデータリクエスト情報により指定されたレート以外のレートで順方向リンクデータを送信することができる。たとえば、各モデムプールトランシーバは、順方向リンクデータをアクセスネットワークによって選択されたデータレートで２以上のアクセス端末に送信することができる。宛先アクセス端末はブラインドレート検出を行うか、あるいはアクセスネットワークから受信した別々のレートインジケータ信号を復号することにより、順方向リンク信号を復調すべきレートを決定する。
【００６７】
記載されている装置の実施形態中の構成要素は、本発明のフレキシビリティを例証するために一般的な用語で説明されている。記載されている各構成要素は、汎用マイクロプロセッサ、デジタル信号プロセッサ（ＤＳＰ）、プログラム可能な論理装置、特定用途向け集積回路（ＡＳＩＣ）、またはここに記載されている機能を行うことのできる任意の他のデバイスの１つまたは組合せを使用して構成されてもよい。ここに記載されている実施形態および考えは無線通信システムに関して説明されているが、それらはまた、たとえば光ファイバ、同軸ケーブルまたは別のワイヤラインテクノロジー等の、他のテクノロジーを使用してネットワークノードが通信するネットワークにおいて使用されることもできる。
【００６８】
したがって、本発明はここに示されている実施形態に制限されるものではなく、ここに開示されている原理および新しい特徴に一致する広い技術的範囲に適応する。
【図面の簡単な説明】
【図１】
例示的なＨＤＲ通信システムの概略図。
【図２Ａ】
キャリア対干渉比に基づいてアクセス計量を使用する逆方向リンク送信ゲーティングまたは減少のグラフ。
【図２Ｂ】
平均スループットに基づいてアクセス計量を使用する逆方向リンク送信ゲーティングまたは減少のグラフ。
【図３】
逆方向リンク送信をゲーティングまたは減少すべき時期を決定する方法のフローチャート。
【図４】
アクセス端末装置の概略図。
【図１】
2004514371.tif 000003
【図２Ａ】
2004514371.tif 000004
【図２Ｂ】
2004514371.tif 000005
【図３】
2004514371.tif 000006
【図４】
2004514371.tif 000007
【国際公開パンフレット】
2004514371.tif 000008
2004514371.tif 000009
2004514371.tif 000010
2004514371.tif 000011
2004514371.tif 000012
2004514371.tif 000013
2004514371.tif 000014
2004514371.tif 000015
2004514371.tif 000016
2004514371.tif 000017
2004514371.tif 000018
2004514371.tif 000019
2004514371.tif 000020
2004514371.tif 000021
2004514371.tif 000022
2004514371.tif 000023
2004514371.tif 000024
2004514371.tif 000025
2004514371.tif 000026
2004514371.tif 000027
2004514371.tif 000028
2004514371.tif 000029
2004514371.tif 000030
2004514371.tif 000031
2004514371.tif 000032
2004514371.tif 000033
2004514371.tif 000034
2004514371.tif 000035
2004514371.tif 000036
2004514371.tif 000037
2004514371.tif 000038
2004514371.tif 000039
【国際公開パンフレット（コレクトバージョン）】
2004514371.tif 000040
2004514371.tif 000041
【国際調査報告】
2004514371.tif 000042
2004514371.tif 000043
2004514371.tif 000044